(57)【要約】【課題】  実用に耐えうる強度を有する紙製の載置台を提供することにある。【解決手段】  両端部を閉じた箱断面形状を為すとともに、正面側壁面から内側面側壁面にわたる凹部を長手方向に複数個設けた２つの枠部材を、底板部材によって連結して成る板紙製の載置台本体と、複数の凹部を介して載置台本体の正面側に個別に取り付けられるとともに、載置台本体の底板部材から立ち上がり被載置物の下面側を保持する載置部および被載置物の背面側を保持する背もたれ部を有する棚部を形成する複数の板紙製の棚板形成部材と、載置台本体の背面側に取り付けられるとともに、載置台本体を所定の角度で起立させる板紙製のスタンドとを備えたことを特徴とする。載置台本体と棚板形成部材とは、板紙の表面にグラビヤ印刷にてＡ−ＰＥＴの印刷層を施して成る。【選択図】    図１
2005304733.tif 000002
【特許請求の範囲】
【請求項１】
両端部を閉じた箱断面形状を為すとともに、正面側壁面から内側面側壁面にわたる凹部を長手方向に複数個設けた２つの枠部材を、底板部材によって連結して成る板紙製の載置台本体と、
前記複数の凹部を介して前記載置台本体の正面側に個別に取り付けられるとともに、前記載置台本体の底板部材から立ち上がり被載置物の下面側を保持する載置部および前記被載置物の背面側を保持する背もたれ部を有する棚部を形成する複数の板紙製の棚板形成部材と、
前記載置台本体の背面側に取り付けられるとともに、前記載置台本体を所定の角度で起立させる板紙製のスタンドと
を備えたことを特徴とする紙製の載置台。
【請求項２】
請求項１記載の紙製の載置台において、前記載置台本体と前記棚板形成部材とは、板紙の表面にグラビヤ印刷にてＡ−ＰＥＴの印刷層を施して成ることを特徴とする紙製の載置台。
【請求項３】
請求項１または請求項２記載の紙製の載置台において、
前記２つの枠部材は、下端側の前記正面側壁面と外側面側壁面との境界部に前記棚板形成部材を係止する切り込み部を備え、前記正面側壁面より横幅が大きい背面側壁面を有し、前記背面側壁面の端部側を前記底板部材の背面側に貼着して前記箱断面形状を為しており、
前記底板部材は、上端部に折り線を介して連なるとともに前記折り線を介して起こされる四角形状の上側舌状部材と、下端部に折り線を介して連なるとともに前記折り線を介して起こされるとともに前記折り線に前記棚板形成部材を係止する切り込み部を設けた前記四角形状の下側舌状部材とを備え、
前記凹部は、前記正面側壁面の複数箇所に外側面側壁面に折り線を介して連なる四角形状の折り込み片を前記折り線を介して前記外側面側壁面側に折り込んで外側面側壁面の内壁面に貼着して成るとともに、前記棚板形成部材の載置部および背もたれ部を嵌合する開口と、前記開口と連続して前記内側面側壁面に前記底板部材の下端側に向かって傾斜して形成されるとともに、前記棚板形成部材の載置部および背もたれ部を嵌合する切り込み部とで構成され、
前記棚板形成部材は、上段用棚板形成部材と、少なくとも１つの中段用棚板形成部材と、下段用棚板形成部材とで構成され、
前記上段用棚板形成部材と前記中段用棚板形成部材とは、前記載置台本体の外側面側壁面間に相当する横幅と前記凹部の開口上端部から切り込み部下端部に相当する縦幅とを有する四角形状の背もたれ部材と、前記背もたれ部材の両側部に折り線を介して連なるとともに前記折り線を介して前記背もたれ部材に対して直角に折り込まれ前記凹部の開口を構成する外側面側壁面の内側面に当接される保持部材と、前記背もたれ部材の上端部の両端部に折り線を介して連なるとともに前記折り線を介して前記背もたれ部材に対して直角に折り込まれ前記凹部の開口側に差し込まれる舌片状の差し込み部材と、前記背もたれ部材の下端側に折り線を介して連なるとともに前記載置台本体の外側面側壁面間に相当する横幅を有し前記折り線を介して前記背もたれ部材に対して立ち上げられて前記凹部の開口から切り込み部にわたって嵌入する四角形状の第一載置部材と、前記第一載置部材に連なり前記底板部材の横幅に相当する横幅を有し前記枠部材間に配される四角形状の第二載置部材と、前記第二載置部材に折れ線を介して連なり前記折り線を介して折り込まれる前記第二載置部材と同じ横幅を有する四角形状の舌状部材とを備え、
前記下段用棚板形成部材は、前記載置台本体の外側面側壁面間に相当する横幅と前記凹部の開口上端部から切り込み部下端部に相当する縦幅とを有する四角形状の背もたれ部材と、前記背もたれ部材の両側部に折り線を介して連なるとともに前記折り線を介して前記背もたれ部材に対して直角に折り込まれ前記凹部の開口を構成する外側面側壁面の内側面に当接される保持部材と、前記背もたれ部材の上端部の両端部に折り線を介して連なるとともに前記折り線を介して前記背もたれ部材に対して直角に折り込まれ前記凹部の開口側に差し込まれる舌片状の第一差し込み部材と、前記背もたれ部材の下端側に折り線を介して連なるとともに前記載置台本体の外側面側壁面間に相当する横幅を有し前記折り線を介して前記背もたれ部材に対して立ち上げられて前記凹部の開口から切り込み部にわたって嵌入する四角形状の第一載置部材と、前記第一載置部材に連なり前記底板部材の横幅に相当する横幅を有し前記枠部材間に配される四角形状の第二載置部材と、前記第二載置部材に折れ線を介して連なり前記折り線を介して折り込まれる前記第一載置部材と同じ横幅を有する四角形状の載置台下側壁面部材と、前記載置台下側壁面部材の両側部に折り線を介して連なり前記折り線を介して折り込まれ前記枠部材に差し込まれる舌片状の第二差し込み部材と、前記載置台下側壁面部材に折り線を介して連なり前記折り線を介して折り込まれ前記載置台本体の下端部側に配置される底部材と、前記底部材の下端側に折り線を介して連なり前記折り線を介して折り込まれ前記底板部材の下端部に差し込まれる舌片状の第三差し込み部材とを備え、
前記スタンドは、窓穴を設けた四角形状のスタンド本体と、係止用切り込みを設けるとともに前記スタンド本体の両側部に折り線を介して連なり前記折り線を介して前記スタンド本体に対して折り込まれる支持脚部材と、前記スタンド本体の上端部側に折り線を介して連なり前記折り線を介して前記スタンド本体に対して折り込まれ前記底板部材の背面側に貼着される四角形状のスタンド取付部材と、中央部に前記窓穴に嵌入する鍵部を設けるとともに両側部に前記係止用切り込みに嵌入する係止用切り込みを設け、かつ前記スタンド取付部材に折り線を介して連なり前記折り線を介して前記スタンド取付部材に対して折り込まれる係止部材とを備え
て成ることを特徴とする紙製の載置台。
【請求項４】
請求項１ないし請求項３の何れか記載の載置台において、
前記載置台本体の上部にパネル部材をさらに取り付けて成ることを特徴とする紙製の載置台。
【発明の詳細な説明】
【技術分野】
【０００１】
本発明は、紙製の載置台に関する。
【背景技術】
【０００２】
従来、宣伝媒体として大量に生産されて頒布される、チラシ、カタログ、パンフレット、ＣＤ−ＲＯＭなどは、例えば、電化製品展示場、電化製品販売店、各種調理器製品展示場、各種調理器製品販売店、車のディーラ、旅行代理店、デパート、各種量販店、モデルハウス展示場、ホテル、遊園地などの店頭や展示コーナなどに置かれた広告ラックなどの状差し型の載置台に配置されている。
【発明の開示】
【発明が解決しようとする課題】
【０００３】
しかし、従来の載置台は、プラスチック、金属や木製であるため、嵩張ったり、重量物となり、持ち運びが面倒であるという不具合があった。
一方、載置台を紙製にすると、軽量化される反面、強度上の問題があり、実用に耐えることができなかった。
また、紙製の載置台では、耐水性が無く、設置場所が限られるという問題があった。
【０００４】
本発明は斯かる従来の問題点を解決するために為されたもので、その目的は、実用に耐えうる強度を有する紙製の載置台を提供することにある。
本発明の別の目的は、撥水性を有する紙製の載置台を提供することにある。
【課題を解決するための手段】
【０００５】
請求項１に係る発明は、両端部を閉じた箱断面形状を為すとともに、正面側壁面から内側面側壁面にわたる凹部を長手方向に複数個設けた２つの枠部材を、底板部材によって連結して成る板紙製の載置台本体と、前記複数の凹部を介して前記載置台本体の正面側に個別に取り付けられるとともに、前記載置台本体の底板部材から立ち上がり被載置物の下面側を保持する載置部および前記被載置物の背面側を保持する背もたれ部を有する棚部を形成する複数の板紙製の棚板形成部材と、前記載置台本体の背面側に取り付けられるとともに、前記載置台本体を所定の角度で起立させる板紙製のスタンドとを備えたことを特徴とする。
【０００６】
請求項２に係る発明は、請求項１記載の紙製の載置台において、前記載置台本体と前記棚板形成部材とは、板紙の表面にグラビヤ印刷にてＡ−ＰＥＴの印刷層を施して成ることを特徴とする。
請求項３に係る発明は、請求項１または請求項２記載の紙製の載置台において、前記２つの枠部材は、下端側の前記正面側壁面と外側面側壁面との境界部に前記棚板形成部材を係止する切り込み部を備え、前記正面側壁面より横幅が大きい背面側壁面を有し、前記背面側壁面の端部側を前記底板部材の背面側に貼着して前記箱断面形状を為しており、前記底板部材は、上端部に折り線を介して連なるとともに前記折り線を介して起こされる四角形状の上側舌状部材と、下端部に折り線を介して連なるとともに前記折り線を介して起こされるとともに前記折り線に前記棚板形成部材を係止する切り込み部を設けた前記四角形状の下側舌状部材とを備え、前記凹部は、前記正面側壁面の複数箇所に外側面側壁面に折り線を介して連なる四角形状の折り込み片を前記折り線を介して前記外側面側壁面側に折り込んで外側面側壁面の内壁面に貼着して成るとともに、前記棚板形成部材の載置部および背もたれ部を嵌合する開口と、前記開口と連続して前記内側面側壁面に前記底板部材の下端側に向かって傾斜して形成されるとともに、前記棚板形成部材の載置部および背もたれ部を嵌合する切り込み部とで構成され、前記棚板形成部材は、上段用棚板形成部材と、少なくとも１つの中段用棚板形成部材と、下段用棚板形成部材とで構成され、前記上段用棚板形成部材と前記中段用棚板形成部材とは、前記載置台本体の外側面側壁面間に相当する横幅と前記凹部の開口上端部から切り込み部下端部に相当する縦幅とを有する四角形状の背もたれ部材と、前記背もたれ部材の両側部に折り線を介して連なるとともに前記折り線を介して前記背もたれ部材に対して直角に折り込まれ前記凹部の開口を構成する外側面側壁面の内側面に当接される保持部材と、前記背もたれ部材の上端部の両端部に折り線を介して連なるとともに前記折り線を介して前記背もたれ部材に対して直角に折り込まれ前記凹部の開口側に差し込まれる舌片状の差し込み部材と、前記背もたれ部材の下端側に折り線を介して連なるとともに前記載置台本体の外側面側壁面間に相当する横幅を有し前記折り線を介して前記背もたれ部材に対して立ち上げられて前記凹部の開口から切り込み部にわたって嵌入する四角形状の第一載置部材と、前記第一載置部材に連なり前記底板部材の横幅に相当する横幅を有し前記枠部材間に配される四角形状の第二載置部材と、前記第二載置部材に折れ線を介して連なり前記折り線を介して折り込まれる前記第二載置部材と同じ横幅を有する四角形状の舌状部材とを備え、前記下段用棚板形成部材は、前記載置台本体の外側面側壁面間に相当する横幅と前記凹部の開口上端部から切り込み部下端部に相当する縦幅とを有する四角形状の背もたれ部材と、前記背もたれ部材の両側部に折り線を介して連なるとともに前記折り線を介して前記背もたれ部材に対して直角に折り込まれ前記凹部の開口を構成する外側面側壁面の内側面に当接される保持部材と、前記背もたれ部材の上端部の両端部に折り線を介して連なるとともに前記折り線を介して前記背もたれ部材に対して直角に折り込まれ前記凹部の開口側に差し込まれる舌片状の第一差し込み部材と、前記背もたれ部材の下端側に折り線を介して連なるとともに前記載置台本体の外側面側壁面間に相当する横幅を有し前記折り線を介して前記背もたれ部材に対して立ち上げられて前記凹部の開口から切り込み部にわたって嵌入する四角形状の第一載置部材と、前記第一載置部材に連なり前記底板部材の横幅に相当する横幅を有し前記枠部材間に配される四角形状の第二載置部材と、前記第二載置部材に折れ線を介して連なり前記折り線を介して折り込まれる前記第一載置部材と同じ横幅を有する四角形状の載置台下側壁面部材と、前記載置台下側壁面部材の両側部に折り線を介して連なり前記折り線を介して折り込まれ前記枠部材に差し込まれる舌片状の第二差し込み部材と、前記載置台下側壁面部材に折り線を介して連なり前記折り線を介して折り込まれ前記載置台本体の下端部側に配置される底部材と、前記底部材の下端側に折り線を介して連なり前記折り線を介して折り込まれ前記底板部材の下端部に差し込まれる舌片状の第三差し込み部材とを備え、前記スタンドは、窓穴を設けた四角形状のスタンド本体と、係止用切り込みを設けるとともに前記スタンド本体の両側部に折り線を介して連なり前記折り線を介して前記スタンド本体に対して折り込まれる支持脚部材と、前記スタンド本体の上端部側に折り線を介して連なり前記折り線を介して前記スタンド本体に対して折り込まれ前記底板部材の背面側に貼着される四角形状のスタンド取付部材と、中央部に前記窓穴に嵌入する鍵部を設けるとともに両側部に前記係止用切り込みに嵌入する係止用切り込みを設け、かつ前記スタンド取付部材に折り線を介して連なり前記折り線を介して前記スタンド取付部材に対して折り込まれる係止部材とを備えて成ることを特徴とする。
【０００７】
請求項４に係る発明は、請求項１ないし請求項３の何れか記載の紙製の載置台において、前記載置台本体の上部にパネル部材をさらに取り付けて成ることを特徴とする。
【発明の効果】
【０００８】
本発明によれば、紙製の載置台でありながら、実用に耐えうる強度を付与することができる。
本発明によれば、紙製の載置台でありながら、撥水性を付与することができる。
【発明を実施するための最良の形態】
【０００９】
以下、本発明を図面に示す実施形態に基づいて説明する。
図１は本発明の一実施形態に係る紙製の載置台１を示す（請求項１−４に対応）。
本実施形態に係る紙製の載置台１は、板紙の表面にグラビヤ印刷にてＡ−ＰＥＴの印刷層を施して成る板紙製の載置台本体１０と、この板紙製の載置台本体１０に取り付けられる板紙の表面にグラビヤ印刷にてＡ−ＰＥＴの印刷層を施して成る３つの板紙製の棚板形成部材２０Ａ，２０Ｂ，２０Ｃと、板紙製の載置台本体１０の背面側に取り付けられる板紙製のスタンド５０と、板紙製の載置台本体１０の上部に取り付けられパネル部材７０とを有する。ここで、Ａ−ＰＥＴとは、非晶性ＰＥＴ〔ポリエチレンテレフタレート樹脂（Polyethylene-terephthalate Resin）〕をいい、耐熱性は６０℃〜７０℃である。また、Ａ−ＰＥＴを被覆することによって、板紙の強度が向上し、さらに撥水性を付与することが可能となる。
【００１０】
板紙製の載置台本体１０は、図２、図３に示すように、両端部を閉じた箱断面形状を為すとともに、正面側壁面１３Ａ，１３Ｂから内側面側壁面１４Ａ，１４Ｂにわたる凹部１５Ａ，１５Ｂを長手方向にそれぞれ３個設けた２つの枠部材１１Ａ、１１Ｂを、底板部材１１Ｃによって連結して成る。
２つの枠部材１１Ａ、１１Ｂと底板部材１１Ｃとは、図４に示すように、底板部材１１Ｃの両側に２つの枠部材１１Ａ、１１Ｂをそれぞれ折り線１２Ａ，１２Ｂを介して連ねた一枚の板紙によって構成されている。
【００１１】
２つの枠部材１１Ａ、１１Ｂは、内側面側壁面１４Ａ，１４Ｂと、正面側壁面１３Ａ，１３Ｂと、外側面側壁面１６Ａ，１６Ｂと、背面側壁面１７Ａ，１７Ｂとを連接し、各境界に設けた折り線１２Ａ，１２Ｂ，１４ｏ，１４ｐ，１４ｑ，１４ｒ，１４ｓ，１４ｔ，１４ｕ，１４ｖ、１３ｇ，１３ｈ、１７ａ，１７ｂを介して箱形に折りたたまれ、背面側壁面１７Ａ，１７Ｂの端部側を底板部材１１Ｃの背面側に貼着して箱断面形状を為すように構成されている。内側面側壁面１４Ａ，１４Ｂと、正面側壁面１３Ａ，１３Ｂと、外側面側壁面１６Ａ，１６Ｂとは、横幅が同じにしてある。つまり、箱断面の断面形状は正方形としてある。ただし、背面側壁面１７Ａ，１７Ｂだけは、箱断面の形状を保持するために底板部材１１Ｃの一部と貼着するための糊代部を確保するためにこれらよりも横幅が広くしてある。
【００１２】
内側面側壁面１４Ａ，１４Ｂは、両端部に２つの枠部材１１Ａ、１１Ｂの内壁補強用の舌片１４ａ，１４ｂ，１４ｃ，１４ｄを折り線１４ｅ，１４ｆ，１４ｇ，１４ｈを介して連ねている。また、内側面側壁面１４Ａ，１４Ｂは、凹部１５Ａ，１５Ｂを構成する切り込み部１４ｉ，１４ｊ，１４ｋ，１４ｌ，１４ｍ，１４ｎを設けている。切り込み部１４ｉ，１４ｊ，１４ｋ，１４ｌ，１４ｍ，１４ｎは、底板部材１１Ｃの下端側に向かって傾斜し、棚板形成部材２０Ａ，２０Ｂ，２０Ｃの背もたれ部を載置する傾斜部１４１と、棚板形成部材２０Ａ，２０Ｂ，２０Ｃの載置部を嵌合する係止部１４２とを有する。さらに、切り込み部１４ｉ，１４ｊ，１４ｋ，１４ｌ，１４ｍ，１４ｎは、正面側壁面１３Ａ，１３Ｂとの境界部１４３において切り離されている。
【００１３】
正面側壁面１３Ａ，１３Ｂは、３個の凹部１５Ａ，１５Ｂを形成するための四角形状の折り込み片１３ａ，１３ｂ，１３ｃ，１３ｄ，１３ｅ，１３ｆを、外側面側壁面１６Ａ，１６Ｂとの境界部に設けた折り線１３ｇ，１３ｈを介して設けている。また、正面側壁面１３Ａ，１３Ｂは、３個の凹部１５Ａ，１５Ｂの間に正面壁部１３ｉ，１３ｊ，１３ｋ，１３ｌ，１３ｍ，１３ｎを設けている。さらに、正面側壁面１３Ａ，１３Ｂは、下端側に折り線１３ｓ，１３ｘを介して２つの枠部位材１１Ａ，１１Ｂの底板を形成する底壁面１３ｏ，１３ｔと、切り込み１３ｒ，１３ｗを設けた折り線１３ｑ，１３ｖを介して差し込み舌片１３ｐ，１３ｕとを設けてある。
【００１４】
外側面側壁面１６Ａ，１６Ｂは、折り線１３ｇ，１３ｈを介して正面側壁面１３Ａ，１３Ｂに連接している。折り線１３ｇ，１３ｈの下端側で最下段の正面壁部１３ｋ，１３ｎとの境界部に切り込み部１６ａ，１６ｂが設けてある。また、外側面側壁面１６Ａ，１６Ｂの両端部には、２つの枠部材１１Ａ、１１Ｂの内壁補強用の舌片１６ｃ，１６ｄ，１６ｅ，１１６ｆを折り線１６ｇ，１６ｈ，１６ｉ，１６ｊを介して連ねている。
【００１５】
背面側壁面１７Ａ，１７Ｂは、折り線１７ａ，１７ｂを介して外側面側壁面１６Ａ，１６Ｂに連なっている。また、背面側壁面１７Ａ，１７Ｂの上端部には、折り線１７ｇ，１７ｌを介して２つの枠部位材１１Ａ，１１Ｂの天板を形成する天壁面１７ｃ，１７ｈと、切り込み１７ｅ，１７ｊを設けた折り線１７ｄ，１７ｉを介して差し込み舌片１７ｆ，１７ｋとを設けてある。また、背面側壁面１７Ａ，１７Ｂには、スタンド取付部材６０の取付位置を表示する押し罫１７ｌ，１７ｍ，１７ｎ，１７ｏが設けてある。
【００１６】
底板部材１１Ｃは、上端部にパネル部材６０を係止する切り込み１１ｄを設けた折り線１１ｃを介して連なるとともに折り線１１ｃを介して起こされる四角形状の上側舌状部材１１ｂと、下端部に棚板形成部材２０Ｃを係止する２つの切り込み１１ｇ，１１ｈを設けた折り線１１ｆを介して連なる四角形状の下側舌状部材１１ｅとを設けている。
凹部１５Ａ，１５Ｂは、正面側壁面１３Ａ，１３Ｂの３箇所に外側面側壁面１６Ａ，１６Ｂに折り線１３ｇ，１３ｈを介して連なる四角形状の折り込み片１３ａ，１３ｂ，１３ｃ，１３ｄ，１３ｅ，１３ｆを折り線１３ｇ，１３ｈを介して外側面側壁面１６Ａ，１６Ｂ側に折り込んで外側面側壁面１６Ａ，１６Ｂの内壁面に貼着して成るとともに、棚板形成部材２０Ａ，２０Ｂ，２０Ｃの載置部および背もたれ部を嵌合する開口１５ａ，１５ｂと、開口１５ａ，１５ｂと連続して内側面側壁面１４Ａ，１４Ｂに底板部材１１Ｃの下端側に向かって傾斜して形成されるとともに、棚板形成部材２０Ａ，２０Ｂ，２０Ｃの載置部および背もたれ部を嵌合する切り込み部１４ｉ，１４ｊ，１４ｋ，１４ｌ，１４ｍ，１４ｎとで構成されている。
【００１７】
図５，図６に示すように、棚板形成部材２０Ａは、上段用棚板形成部材を形成し、棚板形成部材２０Ｂは中段用棚板形成部材を形成し、棚板形成部材２０Ｃは、下段用棚板形成部材を形成する。ここでは、上段用棚板形成部材である棚板形成部材２０Ａと、中段用棚板形成部材である棚板形成部材２０Ｂとを同形状とした。
棚板形成部材２０Ａ，２０Ｂは、載置台本体１０の外側面側壁面１６Ａ，１６Ｂ間に相当する横幅と凹部１５Ａ，１５Ｂの開口１５ａ，１５ｂ上端部から切り込み部１４ｉ，１４ｊ，１４ｋ，１４ｌ，１４ｍ，１４ｎの下端部に相当する縦幅とを有する四角形状の背もたれ部材２０ａ，２０ｂと、背もたれ部材２１ａ，２１ｂの両側部に折り線２２ａ，２３ａ，２２ｂ，２３ｂを介して連なるとともに折り線２２ａ，２３ａ，２２ｂ，２３ｂを介して背もたれ部材２１ａ，２１ｂに対して直角に折り込まれ凹部１５Ａ，１５Ｂの開口１５ａ，１５ｂを構成する外側面側壁面１６Ａ，１６Ｂの内側面に当接される保持部材２４ａ，２５ａ，２４ｂ，２５ｂと、背もたれ部材２１ａ，２１ｂの上端部の両端部に折り線２６ａ，２７ａ，２６ｂ，２７ｂを介して連なるとともに折り線２６ａ，２７ａ，２６ｂ，２７ｂを介して背もたれ部材２１ａ，２１ｂに対して直角に折り込まれ凹部１５Ａ，１５Ｂの開口１５ａ，１５ｂ側に差し込まれる舌片状の差し込み部材２８ａ，２９ａ，２８ｂ，２９ｂと、背もたれ部材２１ａ，２１ｂの上端部に折り線３０ａ，３０ｂを介して連なるとともに折り線３０ａ，３０ｂを介して背もたれ部材２１ａ，２１ｂに対して折り曲げ可能な舌片部材３１ａ，３１ｂと、背もたれ部材２１ａ，２１ｂの下端側に折り線３２ａ，３２ｂを介して連なるとともに載置台本体１０の外側面側壁面１６Ａ，１６Ｂ間に相当する横幅を有し折り線３２ａ，３２ｂを介して背もたれ部材２１ａ，２１ｂに対して立ち上げられて凹部１５Ａ，１５Ｂの開口１５ａ，１５ｂから切り込み部１４ｉ，１４ｊ，１４ｋ，１４ｌ，１４ｍ，１４ｎにわたって嵌入する四角形状の第一載置部材３３ａ，３３ｂと、第一載置部材３３ａ，３３ｂに連なり底板部材１１Ｃの横幅に相当する横幅を有し枠部材１１Ａ，１１Ｂ間に配される四角形状の第二載置部材３４ａ，３４ｂと、第二載置部材３４ａ，３４ｂに折れ線３５ａ，３５ｂを介して連なり折り線３５ａ，３５ｂを介して折り込まれる第二載置部材３４ａ，３４ｂと同じ横幅を有する四角形状の舌状部材３６ａ，３６ｂとを設けている。
【００１８】
下段用棚板形成部材を構成する棚板形成部材２０Ｃは、載置台本体１０の外側面側壁面１６Ａ，１６Ｂ間に相当する横幅と凹部１５Ａ，１５Ｂの開口１５ａ，１５ｂ上端部から切り込み部１４ｉ，１４ｊ，１４ｋ，１４ｌ，１４ｍ，１４ｎの下端部に相当する縦幅とを有する四角形状の背もたれ部材２０ｃと、背もたれ部材２１ｃの両側部に折り線２２ｃ，３３ｃを介して連なるとともに折り線２２ｃ，２３ｃを介して背もたれ部材２１ｃに対して直角に折り込まれ凹部１５Ａ，１５Ｂの開口１５ａ，１５ｂを構成する外側面側壁面１６Ａ，１６Ｂの内側面に当接される保持部材２４ｃ，２５ｃと、背もたれ部材２１ａ，２１ｂの上端部の両端部に折り線２６ｃ，２７ｃを介して連なるとともに折り線２６ｃ，２７ｄを介して背もたれ部材２１ａ，２１ｂに対して直角に折り込まれ凹部１５Ａ，１５Ｂの開口１５ａ，１５ｂ側に差し込まれる舌片状の第一差し込み部材２８ｃ，２９ｃと、背もたれ部材２１ｃの上端部に折り線３０ｃを介して連なるとともに折り線３０ｃを介して背もたれ部材２１ｃに対して折り曲げ可能な舌片部材３１ｃと、背もたれ部材２１ａ，２１ｂの下端側に折り線２２ｃを介して連なるとともに載置台本体１０の外側面側壁面１６Ａ，１６Ｂ間に相当する横幅を有し折り線３２ｃを介して背もたれ部材２１ａ，２１ｂに対して立ち上げられて凹部１５Ａ，１５Ｂの開口１５ａ，１５ｂから切り込み部１４ｉ，１４ｊ，１４ｋ，１４ｌ，１４ｍ，１４ｎにわたって嵌入する四角形状の第一載置部材３３ｃｂと、第一載置部材３３ｃに連なり底板部材１１Ｃの横幅に相当する横幅を有し枠部材１１Ａ，１１Ｂ間に配される四角形状の第二載置部材３４ｃと、第二載置部材３４ｃに折れ線３７を介して連なり折り線３７を介して折り込まれる第一載置部材３３ｃと同じ横幅を有する四角形状の載置台下側壁面部材３８と、載置台下側壁面部材３８の両側部に折り線３９，４０を介して連なり折り線３９，４０を介して折り込まれ枠部材１１Ａ，１１Ｂの切り込み１６ａ，１６ｂに差し込まれる舌片状の第二差し込み部材４１，４２と、載置台下側壁面部材３８に折り線４３を介して連なり折り線４３を介して折り込まれ載置台本体１０の下端部側に配置される底部材４４と、底部材５４の下端側に折り線４５，４６を介して連なり折り線４５，４６を介して折り込まれ底板部材１１Ｃの下端部に設けた切り込み１１ｇ，１１ｈ差し込まれる舌片状の第三差し込み部材４７，４８とを設けている。
【００１９】
スタンド５０は、図７、図８に示すように、横穴５２ａと横穴より小さな小穴５２ｂとから成る窓穴５２を設けた四角形状のスタンド本体５１と、係止用切り込み５５，５６を設けるとともにスタンド本体５１の両側部に折り線５７，５８を介して連なり折り線５７，５８を介してスタンド本体６１に対して折り込まれる支持脚部材５３，５４と、スタンド本体５１の上端部側に折り線６０を介して連なり折り線６０を介してスタンド本体５１に対して折り込まれ底板部材１１Ｃの背面側に貼着される四角形状のスタンド取付部材５９と、中央部に窓穴５２に嵌入し括れ部６２ａを窓穴５２に係止する鍵部６２を設けるとともに両側部に係止用切り込み５５，５６に嵌入する係止用切り込み６３，６４を設け、かつスタンド取付部材５９に折り線６５を介して連なり折り線６５を介してスタンド取付部材５９に対して折り込まれる係止部材６１とを設けている。
【００２０】
パネル部材７０は、図９、図１０に示すように、載置台１０の横幅と同じ横幅を有する四角形状の表示部７１と、表示部７１の下端側の両側に連なり枠部材１１Ａ，１１Ｂの切り込み１７ｅ，１７ｊに差し込まれる差し込み片７２，７３と、表示部７１の上端側に折り線７４を介して連なり表示部７１の背面側に貼着される中継部材７４と、中継部材７４に折り線７７を介して連なる脚部材７６と、脚部材７６に折り線７９を介して連なり底板部材１１Ｃの切り込み１１ｄに差し込まれる係止片７８とを設けている。
【００２１】
次に、斯くして構成した本実施形態に係る載置台１の組立について説明する。
図４に示す載置台本体１０の板材を、各境界に設けた折り線１２Ａ，１２Ｂ，１４ｏ，１４ｐ，１４ｑ，１４ｒ，１４ｓ，１４ｔ，１４ｕ，１４ｖ、１３ｇ，１３ｈ、１７ａ，１７ｂを介して箱形に折りたたみ、図２に示すように、底板部材１１Ｃの両側に２つの枠部材１１Ａ，１１Ｂを形成するとともに、２つの枠部材１１Ａ，１１Ｂの両端部を閉じ、折り込み片１３ａ，１３ｂ，１３ｃ，１３ｄ，１３ｅ，１３ｆを、外側面壁面１６Ａ，１６Ｂの内壁面に貼着し、開口１５ａを形成する。次に、図３に示すように、背面側壁面１７Ａ，１７Ｂの端部を底板部材１１Ｃの一部に貼着し、箱断面形状を確保する。
【００２２】
次に、図３、図８に示すように、組み立てられた載置台本体１０の裏面側にスタント５０を取り付ける。先ず、スタンド取付部材５７を背面側壁面１７Ａ，１７Ｂに設けた押し罫１７ｌ，１７ｍ，１７ｎ，１７ｏに沿って貼着する。次に、折り線６３を介して係止部材６１を窓穴５２に向かって立ち上げ、鍵部６２を窓穴５２に差し込み、さらに鍵部６２ａを横穴５２ａと小穴５２ｂとの間に係止する。次に、脚部材５３，５４を係止部材６１方向に折り曲げ係止用切り込み５５，５６に係止用切り込み６３，６４を嵌入する。
【００２３】
次に、図６に示すように、上段用棚板形成部材を形成する棚板形成部材２０Ａと、中段用棚板形成部材を形成する棚板形成部材２０Ｂと、下段用棚板形成部材を形成する棚板形成部材２０Ｃを載置台本体１０に取り付ける。
先ず、上段用棚板形成部材を形成する棚板形成部材２０Ａは、中段用棚板形成部材を形成する棚板形成部材２０Ｂと同様に、保持部材２４ａ，２５ａを折り線２２ａ，２３ａを介して折り曲げ、折り線３２ａを介して第一載置部材３３ａを立ち上げ、折り線３５ａを介して舌状部材３６ａを折り込んだ状態に加工した後、舌片状の差し込み部材２８ａ，２９ａを開口１５ａの内側に差し込みながら背もたれ部材２１ａを凹部１５Ａ，１５Ｂの中に差し込み、背もたれ部２１ａを傾斜部１４１で担持し、第一載置部材３３ａを切り込み部１４ｉと係止部１４２とで係止し、第一載置部材３３ａと第二載置部材３４ａとで被載置物の載置部を形成する。
【００２４】
次に、中段用棚板形成部材を形成する棚板形成部材２０Ｂは、上段用棚板形成部材を形成する棚板形成部材２０Ａの下段に取り付けられる。その取付は、上段用棚板形成部材を形成する棚板形成部材２０Ａと同様である。中段用棚板形成部材を形成する棚板形成部材２０Ｂが取り付けられると、上段用棚板形成部材を形成する棚板形成部材２０Ａの舌状部材３６ａが、舌状部材３１ｂによって覆われる。
【００２５】
次に、下段用棚板形成部材を形成する棚板形成部材２０Ｃは、上中段用棚板形成部材を形成する棚板形成部材２０Ａ，２０Ｂと同様に、折り線２２ｃ，２３ｃ，３２ｃ，３７，３９，４０，４３，４５，４６を介して折り曲げられており、背もたれ部２１ｃと第一載置部材３３ｃと第二載置部材３４ｃの取付が同様に行われる。その後、載置台下側壁面部材３８に連なる第二差し込み部材４１，４２を、枠部材１１Ａ，１１Ｂの切り込み１６ａ，１６ｂに差し込み、置台本体１０の下端部側に配置し、さらに、底部材４４に連なる第三差し込み部材４７，４８を、底板部材１１Ｃの下端部に設けた切り込み１１ｇ，１１ｈ差し込み、下段用棚板形成部材を形成する棚板形成部材２０Ｃの載置台本体１０への組付が完了する。
【００２６】
次に、図１１，図１２に示すように、パネル部材７０を表示部７１の下端側に設けた差し込み片７２，７３を、枠部材１１Ａ，１１Ｂの切り込み１７ｅ，１７ｊに差し込み、パネル部材７０の組付が完了する。
以上のように、本実施形態に係る載置台１は、箱断面形状を為す２つの枠部材１１Ａ，１１Ｂの間に底板部材１１Ｃを設けた載置台本体１０は、背面側の一部を除いて、殆どの表面がグラビヤ印刷に形成されたＡ−ＰＥＴの印刷層によって形成されているので、紙製の載置台本体１０でありながら、例えばアルミニウムのようなメタリックな光沢、外観を呈し、かつ紙製の載置台に比し、強度や撥水性においてアルミニウムやプラスチックに近似した特性を発揮することが可能となる。
【００２７】
また、この板紙製の載置台本体１０に取り付けられる上段用棚板形成部材を形成する棚板形成部材２０Ａ、中段用棚板形成部材を形成する棚板形成部材２０Ｂおよび下段用棚板形成部材を形成する棚板形成部材２０Ｃもまた、載置台本体１０と同様に、殆どの表面がグラビヤ印刷に形成されたＡ−ＰＥＴの印刷層によって形成されているので、紙製の載置台本体１０でありながら、アルミニウムのようなメタリックな光沢、外観を呈し、かつ紙製の載置台に比し、強度や撥水性においてアルミニウムやプラスチックに近似した特性を発揮することが可能となる。
【００２８】
さらに、これら上段用棚板形成部材を形成する棚板形成部材２０Ａ、中段用棚板形成部材を形成する棚板形成部材２０Ｂおよび下段用棚板形成部材を形成する棚板形成部材２０Ｃは、載置台本体１０に設けた凹部１５Ａ，１５Ｂを利用して組み付けられるので、取付が簡便であり、かつ表面に施されたグラビヤ印刷によるＡ−ＰＥＴの印刷層の機能を最大限に発揮することが可能となる。
【００２９】
また、下段用棚板形成部材を形成する棚板形成部材２０Ｃは、載置台本体１０の下部側から底部にわたって組み付けられるので、棚形成と同時に載置台本体１０の強度部材として機能することができる。
さらに、スタンド５０は、載置台本体１０の背面側に貼着され、かつ係止片による組み付けにより取り付けられるので、載置台本体１０を確実に保持することが可能となる。
【００３０】
なお、載置台１は、被載置物である宣伝媒体の大きさ、重量に応じて横幅、縦幅、棚板形成部材の段数を任意に設定することが可能である。また、パネル部材７０は、用途に応じて表示部８１に任意の文字、デザインが施される。また、用途に応じて、パネル部材７０を省略することも可能である。
【図面の簡単な説明】
【００３１】
【図１】本発明の一実施形態に係る載置台を示す斜視図である。
【図２】図１における載置台本体の組立状態を示す斜視図である。
【図３】図１における載置台本体にスタンドを組み付ける状態を示す斜視図である。
【図４】図１における載置台本体の展開図である。
【図５】（ａ）上段用棚板形成部材を形成する棚板形成部材２０Ａの展開図、（ｂ）中段用棚板形成部材を形成する棚板形成部材２０Ｂの展開図、（ｃ）下段用棚板形成部材を形成する棚板形成部材２０Ｃの展開図である。
【図６】図１における載置台本体に棚板形成部材２０Ａ、棚板形成部材２０Ｂおよび棚板形成部材２０Ｃを組み付ける状態を示す斜視図である。
【図７】図１におけるスタンドの展開図である。
【図８】図１における載置台本体にスタンドを組み付ける状態を示す斜視図である。
【図９】図１におけるパネル部材の展開図である。
【図１０】図１におけるパネル部材の斜視図である。
【図１１】図１における載置台本体にパネル部材を取り付ける状態を示す斜視図である。
【図１２】図１１における載置台本体に対するパネル部材の組立状態を示す拡大図である。
【符号の説明】
【００３２】
１  載置台
１０  載置台本体
１１Ａ、１１Ｂ  枠部材
１１Ｃ  底板部材
１３Ａ，１３Ｂ  正面側壁面
１４Ａ，１４Ｂ  内側面側壁面
１４ｉ，１４ｊ，１４ｋ，１４ｌ，１４ｍ，１４ｎ  切り込み部
１５Ａ，１５Ｂ  凹部
１６Ａ，１６Ｂ  外側面側壁面
１７Ａ，１７Ｂ  背面側壁面
２０Ａ，２０Ｂ，２０Ｃ  棚板形成部材
５０  スタンド
７０  パネル部材
【図１】
2005304733.tif 000003
【図２】
2005304733.tif 000004
【図３】
2005304733.tif 000005
【図４】
2005304733.tif 000006
【図５】
2005304733.tif 000007
【図６】
2005304733.tif 000008
【図７】
2005304733.tif 000009
【図８】
2005304733.tif 000010
【図９】
2005304733.tif 000011
【図１０】
2005304733.tif 000012
【図１１】
2005304733.tif 000013
【図１２】
2005304733.tif 000014